(57)【特許請求の範囲】
【請求項１】
化粧皿が係合自在に装着される化粧皿収納部が形成された容器本体と、該容器本体に開閉自在に蝶着される蓋体とを備えた化粧料容器であって、
上記化粧皿の外周面の互いに対向する側に、それぞれ第１係合凹部および第２係合凹部を設け、
上記化粧皿収納部の内周面の一方の側に、上記第１係合凹部に係合可能な第１係合突起を設けるとともに、
上記化粧皿収納部の内周面の、上記一方の側と対向する側に、
第１スリット部により一端を自由端として弾性変形可能に区画形成され、上記第２係合凹部に係合可能な第２係合突起が設けられた係合片と、
上記第１スリット部に繋がる第２スリット部により、上記係合片と連結され、かつ一端を自由端として弾性変形可能に区画形成され、上記第２係合突起よりも少ない突出量に設定されて上記化粧皿を上記第１係合突起の方向に押圧する凸部が設けられた押圧片とを備えた
ことを特徴とする化粧料容器。
【発明の詳細な説明】
【技術分野】
【０００１】
本発明は、化粧皿収納部が容器本体に形成された化粧容器に関し、特に、化粧皿の外周面に係合される係合片のバネ力と、化粧皿を安定保持するために押圧する押圧片のバネ力とを個別に設定することが可能な化粧料容器に関する。
【背景技術】
【０００２】
交換可能な化粧皿が係合自在に装着される化粧皿収納部が容器本体に形成されており、当該化粧皿が、装着された状態で安定的に保持される化粧料容器として、例えば特許文献１に開示されたものが知られている。
【０００３】
特許文献１の化粧料容器は、容器本体と、この容器本体に開閉自在に蝶着される蓋体とを備え、容器本体内に化粧皿を収納するようにした化粧料容器であって、容器本体内に隔壁を介して２つの収納部を形成し、その一方を化粧皿収納部として形成する一方、化粧皿の外周に係合溝を形成し、隔壁の化粧皿収納部側内面に、化粧皿の係合溝に係合可能な第１係合突起を形成する。さらに、化粧皿収納部の隔壁に対向する側の内面には、上下方向に延びる縦スリットによって両側を区画形成された複数の係合片（「爪」）が形成され、当該係合片の下端は、自由端に形成されるとともに、その内面に化粧皿の係合溝に係合可能な第２係合突起が形成されている。これらの係合片間は、下端が自由端であり、係合片よりも大きなバネ力を有する弾性変形可能な押圧片（「保持壁」）となっており、当該押圧片の内面には、第２係合突起よりも少ない突出量を有する凸部が突設されている。この凸部は、化粧皿の係合溝が第１および第２係合突起に係合されて化粧皿が化粧皿収納部に装着された状態で、化粧皿を第１係合突起方向に押圧することによって、化粧皿の係合状態を安定的に保持するようになっている。
【０００４】
また、化粧皿を化粧皿収納部に装着する際には、化粧皿の下端が第２係合突起の上面に押し当たり、係合片の下端側を外側に弾性変形させて押し開きつつ、化粧皿が上方から押し込まれてゆく。化粧皿を化粧皿収納部から離脱させる際には、まず化粧皿の外周面によって、凸部を介して押圧片を外側に押圧して押し開くことによって、化粧皿を隔壁の反対側へと水平移動させ、これにより第１係合突起と係合溝との係合を解除し、当該第１係合突起側が上方となるように斜めに傾けつつ化粧皿を持ち上げて離脱させるようになっている。
【特許文献１】特許第３５６１５６０号公報
【発明の開示】
【発明が解決しようとする課題】
【０００５】
ところで、上記背景技術にあっては、係合片と押圧片の、弾性変形しやすさ、あるいは化粧皿を押圧し返す強さを示すバネ力は、押圧片の方が大きくなるように設定されているが、実際には、係合片や押圧片の形状や位置、寸法などによってそれらのバネ力は変化するため、必ずしも背景技術と同じように、押圧片のバネ力が係合片のバネ力よりも大きくなるよう設定する必要はない。しかしながらいずれにせよ、化粧皿を化粧皿収納部に装着する際、および装着されて安定保持される際、および離脱させる際などの各場合において、それぞれのバネ力が適切な強さとなるよう設定する必要があった。
【０００６】
具体的には例えば、係合片については、化粧皿を装着する操作がスムーズとなるために適度に柔軟に外側に弾性変形するように、他方で、第２係合突起と係合溝との係合がたやすく解除されないために過度に容易に外側に弾性変形しないように、適度なバランスのバネ力を有するように設定する必要がある。また、押圧片については、化粧皿が化粧皿収納部に装着された状態では化粧皿を安定保持するために過度に容易に外側に弾性変形しないように、他方で、化粧皿を離脱させる操作がスムーズとなるために適度に柔軟に外側へ弾性変形するように、係合片とは異なる適度なバランスのバネ力を有するように設定する必要がある。
【０００７】
ところが、上記背景技術にあっては、押圧片は、「爪（係合片）間を・・・保持壁（押圧片）とし」と記載されている（請求項１）ように、複数の係合片を形成することによりその間に自動的に形成されるようになっている。すなわち、係合片と押圧片とは、同一の縦スリットによって区画形成されるようになっている。そのため、係合片のバネ力を設定するために縦スリットの長さを調整すると、自動的に、押圧片のバネ力も設定されてしまうようになっており、その結果、係合片や押圧片のバネ力をそれぞれ個別に設定することができなかった。
【０００８】
本発明は上記従来の課題に鑑みて創案されたものであって、化粧皿収納部が容器本体に形成された化粧容器であって、化粧皿の外周面に係合されるな係合片のバネ力と、化粧皿を安定保持するために押圧する押圧片のバネ力とを個別に設定することが可能な化粧料容器を提供することを目的とする。
【課題を解決するための手段】
【０００９】
本発明にかかる化粧料容器は、化粧皿が係合自在に装着される化粧皿収納部が形成された容器本体と、該容器本体に開閉自在に蝶着される蓋体とを備えた化粧料容器であって、上記化粧皿の外周面の互いに対向する側に、それぞれ第１係合凹部および第２係合凹部を設け、上記化粧皿収納部の内周面の一方の側に、上記第１係合凹部に係合可能な第１係合突起を設けるとともに、上記化粧皿収納部の内周面の、上記一方の側と対向する側に、
第１スリット部により一端を自由端として弾性変形可能に区画形成され、上記第２係合凹部に係合可能な第２係合突起が設けられた係合片と、上記第１スリット部に繋がる第２スリット部により、上記係合片と連結され、かつ一端を自由端として弾性変形可能に区画形成され、上記第２係合突起よりも少ない突出量に設定されて上記化粧皿を上記第１係合突起の方向に押圧する凸部が設けられた押圧片とを備えたことを特徴とする。
【発明の効果】
【００１０】
本発明にかかる化粧料容器にあっては、化粧皿の外周面に係合されるな係合片のバネ力と、化粧皿を安定保持するために押圧する押圧片のバネ力とを個別に設定することが可能となる。具体的には、係合片および押圧片はそれぞれ別個独立の第１スリット部および第２スリット部とから区画形成されており、その結果、係合片のバネ力と押圧片のバネ力は、それぞれ、係合片の長さ寸法を決定する第１スリット部の長さ寸法、および押圧片の長さ寸法を決定する第２スリット部の長さ寸法を調整することによって、それぞれ適切な強さを有するよう個別に設定することができる。
【発明を実施するための最良の形態】
【００１１】
以下に、本発明にかかる化粧料容器の好適な実施形態を、添付図面を参照して詳細に説明する。第１の実施形態にかかる化粧料容器１は、図１〜図５に示すように、凹状の化粧皿収納部２が形成された容器本体３と、内側に鏡４が設けられた蓋体５とから主に構成される。化粧皿収納部２には、化粧料６が充填される化粧皿７が着脱自在に取り付けられ、これにより化粧皿７の交換（レフィル）が可能となっている。容器本体３の、化粧皿収納部２よりも前端側には凹状の化粧用具収納部８が形成されており、例えばブラシなどの化粧用具がここに収納される。
【００１２】
本実施形態の容器本体３および蓋体５は、いずれも合成樹脂製であって、その平面形状は四隅が円弧をなすほぼ矩形状である。容器本体３に形成された化粧皿収納部２と化粧用具収納部８の平面形状も、同様に四隅が円弧をなすほぼ矩形状である。また、容器本体３の化粧皿収納部２および化粧用具収納部８の外側は周壁３ａによって囲繞されており、化粧皿収納部２と化粧用具収納部８との間は隔壁３ｂによって区画されている。隔壁３ｂの中央部には化粧皿７の着脱操作に利用する、操作用切り欠き部３ｃが形成されている。
【００１３】
容器本体３と蓋体５との間には、容器本体３を開閉するために当該容器本体３に対して蓋体５を回動自在に蝶着する蝶番機構９が設けられている。この蝶番機構９は、容器本体３の後端側周壁３ａに一対突設された蝶番ブロック９ａ間に、蓋体５に形成された蝶番片９ｂが挟み込まれ、これら蝶番ブロック９ａから蝶番片９ｂにわたって、蝶番ピン９ｃが挿通されて構成されており、蝶番片９ｂが蝶番ブロック９ａに対し蝶番ピン９ｃ周りに回動されるようになっている。
【００１４】
また容器本体３と蓋体５との間には、蝶番機構９と反対側（化粧料容器１の前端側）に、容器本体３の閉止状態を維持するためのフック機構１０が設けられている。このフック機構１０は、容器本体３の前端側周壁３ａの中央付近に形成されたフック凹所１０ａと、当該フック凹所１０ａの後端側壁面に設けられたフック用突起１０ｂと、蓋体５の前端から突出され上記フック用突起１０ｂに係脱自在に係合されるフック１０ｃとから構成される。
【００１５】
化粧皿７は、やはり合成樹脂で形成され、その平面形状は化粧皿収納部２の内周面に沿った、ほぼ矩形状である。化粧皿７は、この化粧皿収納部２内に上方から押し込まれて装着される。化粧皿７の、化粧料容器１の前端側（以下、単に前端側という）の下端部７ａ、および化粧料容器１の後端側（以下、単に後端側という）の下端部７ｂは、斜めに切りかかれている。
【００１６】
化粧皿７の外周面の前端側（以下、前端側外周面７ｃという）には水平に延びる溝状の第１係合凹部１１が形成されている。前端側外周面７ｃに対向する後端側（以下、後端側外周面７ｄという）には、第１係合凹部１１と同様の寸法や形状を有する第２係合凹部１２が形成されている。
【００１７】
化粧皿収納部２の内周面の一方の側である前端側（以下、前端側内周面２ａという）には、第１係合凹部１１に対応する位置に、第１係合凹部１１に係合可能な２つの第１係合突起１３が形成されている。これら第１係合突起１３は化粧皿収納部２の内周面と一体的に突出形成されており、その垂直断面形状はほぼ矩形状であるが、その上面は先端側（後端側）にかけて下降するよう斜めに切り欠かれている。
【００１８】
化粧皿収納部２の内周面の、前端側内周面２ａに対向する後端側（以下、後端側内周面２ｂという）には、その中央部から左右に等距離の位置に線対称な配置で、Ｌ字型および逆Ｌ字型のスリットにより上端を固定端として弾性変形可能に区画形成された可撓片１５が１つずつ設けられている。これら可撓片１５は、２つの部分が互いに連結されて構成されている。すなわち、Ｌ字の縦線の部分に相当する係合片１６と、横線の部分に相当する押圧片１７とが互いに連結されて構成されている。各可撓片１５の下端は後端側内周面２ｂの下端に面しており、可撓片１５の上端は、後端側内周面２ｂの上下方向中程と上端との中間程度の高さに位置している。
【００１９】
係合片１６は、可撓片１５の上端部を固定端、下端側を自由端として弾性変形可能に、第１スリット部１８により区画形成されている。第１スリット部１８は、２本の縦スリットと１本の横スリットから構成されており、後端側内周面２ｂの中央寄り側（以下、内側という）に位置し、可撓片１５の上端の高さから後端側内周面２ｂの下端の高さまで上下に延びる内側第１スリット部１８ａと、各内側第１スリット部１８ａよりも後端側内周面２ｂの左右の端部に近い側（以下、外側という）に位置し、各内側第１スリット部１８ａの上端と同じ高さから各内側第１スリット部１８ａの上下方向中程よりもやや上方の位置まで上下に延びる外側第１スリット部１８ｂと、内側第１スリット部１８ａの下端から外側に延び、係合片の下辺を画定する下側第１スリット部１８ｃとから構成されている。内側第１スリット部１８ａの長さは、係合片１６の固定端からの長さ寸法Ｌ１を決定する。
【００２０】
各係合片１６の下端は、後端側内周面２ｂの下端、すなわち化粧皿収納部２の底面２ｃに面しているが、底面２ｃからは若干上方に位置している。従って、係合片１６の下端は自由端となっており、係合片１６はその上端、すなわち内側および外側第１スリット部１８ｂの上端位置を基点として弾性変形可能となっている。係合片１６には、その下端から若干上方の高さ、かつ左右方向中程に、第２係合凹部１２に係合可能な第２係合突起１４が一体的に突出形成されている。第２係合突起１４の縦断面形状はほぼ矩形状であるが、その上面は先端側（前端側）にかけて下降するよう斜めに切りかかれている。
【００２１】
係合片１６の、外側第１スリット部１８ｂの下方の部分からは、係合片１６と一体的に連結されて、押圧片１７が設けられている。押圧片１７は、その内側端部である係合片１６との連結部分を固定端、外側を自由端として弾性変形可能に、第１スリット部１８とは別個の、当該第１スリット部１８に繋がる第２スリット部１９により区画形成されている。第２スリット部１９は、２本の横スリットと１本の縦スリットから構成されており、外側第１スリット部１８ｂの下端から横方向外側に延びる上側第２スリット部１９ａと、下側第１スリット部１８ｃの外側端部から横方向に延びる下側第２スリット部１９ｂと、これら上側第２スリット部１９ａと下側第２スリット部１９ｂの外側端部を上下に連結する外側第２スリット部１９ｃとから構成されている。上側第２スリット部１９ａの長さは、押圧片１７の固定端からの長さ寸法Ｌ２を決定する。
【００２２】
各押圧片１７の下端は、後端側内周面２ｂの下端、すなわち化粧皿収納部２の底面２ｃに面しているが、底面２ｃからは若干上方に位置しているため、化粧料容器１の前後方向に移動自在となっている。従って押圧片１７は、外側の端部側を自由端として弾性変形可能となっている。押圧片１７には、その下端沿いかつ外側端部沿いの位置に、化粧皿７を第１係合突起１３の方向、すなわち前端側に押圧するための凸部２０が一体的に突出形成されている。凸部２０の縦断面は横長の矩形状である。
【００２３】
係合片１６および押圧片１７は、化粧皿収納部２の外側や内側、すなわち本実施形態にあっては化粧料容器１の後端側や前端側へ、それぞれの固定端を基点に弾性変形可能に形成されている。その弾性変形しやすさを示す力であるとともに、化粧皿７によって弾性変形させたときに化粧皿７を押し返す力でもあるバネ力の設定は、それぞれの固定端からの長さ寸法Ｌ１、Ｌ２を調節することにより、係合片１６と押圧片１７それぞれが適切なバネ力を有するように、係合片１６と押圧片１７のそれぞれについて個別に行うことができる。
【００２４】
ここで、凸部２０が化粧皿７により押圧されて押圧片１７が弾性変形する際には、その押圧力が、押圧片１７が連結されている係合片１６へも多少に関わらず伝達されるので、係合片１６も多少なりとも弾性変形する。すなわち、押圧片１７にとって係合片１６は実際上は完全な固定端ではなく、いわば相対的な固定端として振る舞う。他方、係合片１６の上端部は化粧皿収納部２の後端側内周面２ｂに連結されており、後端側内周面２ｂは係合片１６の弾性変形につられて変形することはなく、完全な固定端である。従って、係合片１６の弾性変形性は係合片１６のバネ力のみによって決定されるが、押圧片１７の弾性変形性は押圧片１７自体のバネ力と係合片１６のバネ力とによって複合的に決定される。従って、長さ寸法Ｌ２などを調節することにより押圧片１７のバネ力を設定するには、その手順として、あらかじめ係合片１６のバネ力を決めておく必要があり、かつまた当該係合片１６のバネ力の複合的な作用を考慮して設定する必要がある。
【００２５】
ただし、押圧片１７の凸部２０への押圧力が係合片１６に事実上、ほとんど伝達されない場合もあり得る。例えば、係合片１６のバネ力が十分に大きい場合や、押圧片１７の長さ寸法Ｌ２が十分に大きいため押圧片１７のバネ力が十分に小さい場合などである。このような場合は、係合片１６は押圧片１７に対し、実質的に完全な固定端として振る舞う。その結果このような場合は、押圧片１７のバネ力を設定するに際し係合片１６のバネ力を複合的に考慮する必要が無いため、押圧力のバネ力の設定が非常に容易になるので好ましい。
【００２６】
化粧皿７の前後方向の寸法や、各係合突起１３、１４および凸部２０の化粧皿７側への突出量などは、以下のように設定されている。すなわち、化粧皿７が化粧皿収納部２に装着された状態では、押圧片１７の凸部２０が化粧皿７の後端側外周面７ｄに当接し、化粧皿７を前端側へと押圧して、化粧皿７の前端側外周面７ｃを化粧皿収納部２の前端側内周面２ａにぴったりと当接させている。このとき、各第１係合突起１３は各第１係合凹部１１内に係合される。この状態において、押圧片１７は、ほぼ後端側にも前端側にも弾性変形していない状態である（図４参照）。またその際、化粧皿７の後端側外周面７ｄと化粧皿収納部２の後端側内周面２ｂとの間には、凸部２０の突出量だけ間隙が存在しているが、係合片１６に設けられた各第２係合突起１４は、凸部２０よりも大きい突出量に設定されているので、当該間隙部内を通過して各第２係合凹部１２内まで突出し、係合されている。
【００２７】
次に、本実施形態にかかる化粧料容器１の作用について説明する。化粧皿７を化粧皿収納部２に装着する際には、化粧皿７を上方から化粧皿収納部２に挿入し、化粧皿７の前端側下端部７ａおよび後端側下端部７ｂがそれぞれ第１係合突起１３および第２係合突起１４の各上面に当接した状態から、さらに押し込んでゆく。すると、後端側では、化粧皿７の後端側下端部７ｂ、続いて後端側外周面７ｄが各第２係合突起１４を押圧し、各係合片１６を後端側に弾性変形させて押し開く。他方、前端側では、化粧皿７の前端側下端部７ａや前端側外周面７ｃが第１係合突起１３上を摺動しつつこれをかわし、化粧皿７が下降してゆく。この際、化粧皿７の前端側下端部７ａおよび後端側下端部７ｂと、各第１、第２係合突起１３、１４の上面はいずれも斜めに下降するよう切り欠かれているため、化粧皿７をスムーズに下方に押し込むことができる。またこの際、必要であれば、凸部２０を介して押圧片１７をも化粧皿７によって押圧し、押圧片１７を後端側へと弾性変形させて押し開く。
【００２８】
以上のように下降させた化粧皿７は、各第１係合突起１３および各第２係合突起１４が、それぞれ第１係合凹部１１および第２係合凹部１２の高さに位置した時点で、各係合片１６が弾性復帰し、各第２係合突起１４が各第２係合凹部１２に係合するとともに、各第１係合突起１３が各第１係合凹部１１に係合することによって、化粧皿収納部２内に装着される。
【００２９】
ここで、化粧皿７を下降させる操作がスムーズなものとなるために、各係合片１６は適度に柔軟に後端側に弾性変形しうるバネ力に設定されていることが好ましいが、他方で係合が容易に離脱されないように適度に後端側に弾性変形しにくくなっていることが好ましい。すなわち、係合片１６は、このような適度なバランスのバネ力を有するよう設定されることが好ましい。
【００３０】
各係合突起１３、１４が各係合凹部１１、１２に係合されて化粧皿７が化粧皿収納部２に装着された状態では、押圧片１７の凸部２０が化粧皿７の後端側外周面７ｄを押圧することによって、化粧皿７を前端側に押圧し、化粧皿７の前端側外周面７ｃが化粧皿収納部２の前端側内周面２ａにぴったりと当接され、その結果、各第１、第２係合突起１３、１４と第１、第２係合凹部１１、１２とがそれぞれ係合される。
【００３１】
また、化粧皿７を化粧皿収納部２から離脱させる際には、まず隔壁３ｂに形成された操作用切り欠き部３ｃを利用して化粧皿７を後端側へと水平に移動させ、凸部２０を化粧皿７によって押圧して押圧片１７を後端側に弾性変形させて押し開き、前端側の、各第１係合突起１３と各第１係合凹部１１との係合を解除しつつ（図５参照）、化粧皿７の第１係合突起１３側が上方となるように、化粧皿７を斜めに傾けつつ持ち上げて離脱させる。
【００３２】
この離脱操作の始め、化粧皿７を後端側に移動させて押圧片１７の凸部２０を押圧した時点では、図５から解るように、押圧片１７は後端側に変位しているものの、係合片１６は図４に示す係合状態の位置から全く変位していない。すなわち本実施形態にあっては、押圧片１７の凸部２０への押圧力が係合片１６にほとんど伝達されないよう、係合片１６のバネ力や押圧片１７のバネ力が設定されている。このような場合は上述のように、押圧片１７のバネ力を設定するに際し、係合片１６のバネ力を複合的に考慮する必要が無いため、押圧力のバネ力の設定が容易となるので好ましい。
【００３３】
またここで、化粧皿７が化粧皿収納部２に装着された状態において、化粧皿７を前後方向にがたつきを生じることなく安定に保持するためには、押圧片１７によって化粧皿７が十分に強い力で押圧されること、すなわち押圧片１７が後端側へ過度に容易に弾性変形してしまわないバネ力を有することが好ましい。しかしながら他方で、化粧皿７を化粧皿収納部２から離脱させる際には、その操作がスムーズなものとなるために、適度に柔軟に後端側に弾性変形することが好ましい。すなわち、押圧片１７は、このような、係合片１６とは異なる適度なバランスのバネ力を有するよう設定されることが好ましい。
【００３４】
以上説明したように本実施形態にかかる化粧料容器１にあっては、化粧皿７の互いに対向する前端側外周面７ｃおよび後端側外周面７ｄにそれぞれ第１係合凹部１１および第２係合凹部１２を設け、化粧皿収納部２の前端側内周面２ａに、第１係合凹部１１に係合可能な第１係合突起１３を設けるとともに、前端側内周面２ａと対向する後端側内周面２ｂに、第１スリット部１８により下端側を自由端として弾性変形可能に区画形成され、第２係合凹部１２に係合可能な第２係合突起１４が設けられた係合片１６と、第１スリット部１８に繋がる第２スリット部１９により、係合片１６の外側かつ下方の部分に連結され、外側を自由端として弾性変形可能に区画形成され、第２係合突起１４よりも少ない突出量に設定されて化粧皿７を第１係合突起１３の方向すなわち前端側に押圧する凸部２０が設けられた押圧片１７とを備えることとしたので、係合片１６および押圧片１７はそれぞれ別個独立の第１スリット部１８および第２スリット部１９とから区画形成されており、その結果、係合片１６のバネ力と押圧片１７のバネ力は、それぞれ、係合片１６の長さ寸法Ｌ１を決定する内側第１スリット部１８ａの長さ寸法、および押圧片１７の長さ寸法Ｌ２を決定する上側第２スリット部１９ａの長さ寸法を調整することによって、それぞれ適切な強さを有するよう個別に設定することが可能となる。
【００３５】
次に、本発明にかかる化粧料容器１の各変形例について示す。各図面において、第１の実施形態と同一あるいは同等の構成要素については同一の符号を付している。第１の実施形態と差異がない部分については説明を省略する。
【００３６】
図６には、本発明にかかる化粧料容器１の第２の実施形態が示されている。この変形例にあっては、左右の可撓片１５の形状は第１の実施形態と同様であるが、係合片１６が第１の実施形態における押圧片１７の位置に、押圧片１７が第１の実施形態における係合片１６の位置に形成されている。従って、係合片１６を区画形成する第１スリット部１８は、第１の実施形態における上側第２スリット部１９ａと同様の上側第１スリット部１８ｄと、第１の実施形態における下側第２スリット部１９ｂと同様の下側第１スリット部１８ｃと、第１の実施形態における外側第２スリット部１９ｃと同様の外側第１スリット部１８ｂとから構成される。また、押圧片１７を区画形成する第２スリット部１９は、第１の実施形態における内側第１スリット部１８ａと同様の内側第２スリット部１９ｄと、第１の実施形態における外側第１スリット部１８ｂと同様の外側第２スリット部１９ｃと、第１の実施形態にける下側第１スリット部１８ｃと同様の下側第２スリット部１９ｂとから構成される。第２係合突起１４は、係合片１６内の、第１の実施形態と同様の高さ位置、かつ左右方向中程に形成されている。凸部２０は、押圧片１７内の下端沿いかつ外側端部沿いの位置に形成されている。このような変形例にあっても上記第１の実施形態と同様の作用、効果を奏することはもちろんである。
【００３７】
図７には、本発明にかかる化粧料容器１の第３の実施形態が示されている。この変形例にあっては、左右の可撓片１５の形状はＬ字型あるいは逆Ｌ字型ではなく、上辺を固定端とする矩形に形成されている。これら各可撓片１５の、内側半分が係合片１６として、外側半分が押圧片１７として構成されている。係合片１６の外側辺と押圧片１７の内側辺とが互いに連結されている。従って係合片１６と押圧片１７はいずれも上辺を完全な固定端とし、また互いの連結部分をいわば相対的な固定端として弾性変形可能に形成されている。
【００３８】
係合片１６を区画形成する第１スリット部１８は、係合片１６の内側辺を画定すべく上下に延び、係合片１６の長さ寸法Ｌ５を決定する内側第１スリット部１８ａと、係合片１６の下端を画定すべく左右に延び、係合片１６の横方向の寸法Ｌ７を決定する下側第１スリット部１８ｃとから構成されている。押圧片１７を区画形成する第２スリット部１９は、押圧片１７の外側辺を画定すべく上下に延び、押圧片１７の長さ寸法Ｌ６を決定する外側第２スリット部１９ｃと、押圧片１７の下端を画定すべく左右に延び、押圧片１７の横方向の寸法Ｌ８を決定する下側第２スリット部１９ｂとから構成されている。また、第２係合突起１４は、上記第１、第２の実施形態と同様の高さ位置、かつ係合片１６の内側辺沿いの位置に形成されている。凸部２０は、押圧片１７の下端沿い、かつ外側辺沿いの位置に形成されている。
【００３９】
係合片１６のバネ力および押圧片１７のバネ力は、それぞれ内側第１スリット部１８ａおよび外側第２スリット部１９ｃの寸法Ｌ５、Ｌ７を個別に調節することにより、別個独立に設定することが可能である。従って一般的には、係合片１６の長さ寸法Ｌ５と押圧片１７の長さ寸法Ｌ６とは互いに異なり、可撓片１５全体は互い違いのような形状（横倒しのＬ字型形状）となる。図７はたまたま係合片１６と押圧片１７の長さ寸法Ｌ５、Ｌ６が互いに等しい場合を示している。本変形例にあっては、係合片１６と押圧片１７との間の境界（連結部分）を決定する、それぞれの横方向の長さ寸法Ｌ７、Ｌ８は便宜的なものであり、係合片１６と押圧片１７とを区切るラインが明確に存在するわけではない。しかしながら例えば、これら係合片１６の横方向の寸法Ｌ７や押圧片１７の横方向の寸法Ｌ８が十分に長い場合には、例えば凸部２０を介しての押圧片１７への押圧力が、左右方向に遠い距離に位置する係合片１６へは伝達されない、すなわち互いの弾性変形性が事実上互いのバネ力により別個独立に決定され、両バネ力を複合的に考察する必要がない。このような変形例にあっても上記第１の実施形態と同様の作用、効果を奏することはもちろんであるが、横方向の寸法Ｌ７やＬ８が十分に長い場合には、係合片１６および押圧片１７のバネ力の設定に際し、互いのバネ力を複合的に考慮する必要が無いので容易であり、より好ましい。
【００４０】
上記各実施形態において、係合片や押圧片の形状は、いずれも矩形としたが、これに限定されるものではなく、例えば半円形、Ｕ字形、Ｖ字形などであってもよい。そのような場合であっても、上記各実施形態と同様、第１スリット部と第２スリット部の寸法を個別に調整することによって、係合片と押圧片のバネ力を個別に設定することが可能となる。
【００４１】
また、上記いずれの実施形態にあっても、第１、第２係合凹部、および第１、第２係合突起は、常に同じ高さ位置に設けられていたが、これに限定されるものではなく、様々な高さ位置に設けられてよい。また、各係合凹部や各係合突起、凸部の形状なども上記各実施形態のものに限定されるわけではなく、様々な形状であってよい。また、第２係合突起および凸部の、それぞれ係合片内および押圧片内における位置についても、上記各実施形態のものに限定されるわけではなく、様々な変更が可能であり、例えば、凸部の高さ位置が第２係合突起よりも上方に位置していてもよい。また、上記いずれの実施形態においても、化粧皿収納部の後端側内周面の中央部を挟んだ左右両側に係合片や押圧片を１つずつ配置することとしたが、このような配置に限定されるものではなく、また、両者の数も特に限定はされない。また、上記各実施形態においては、第１係合凹部及び第１係合突起を化粧料容器の前端側に、第２係合凹部や係合片、押圧片などを化粧料容器の後端側に設けることとしたが、このような配置に限定されるものではない。
【図面の簡単な説明】
【００４２】
【図１】本発明にかかる化粧料容器の第１実施形態を示す分解斜視図である。
【図２】図１の化粧料容器の、蓋体を閉止した状態の縦断面図である。
【図３】図１の化粧料容器の、Ａ−Ａ線による断面図である。
【図４】図１の化粧料容器の、蓋体を開放した状態の要部拡大縦断面図である。化粧皿が化粧皿収納部に装着された状態を示している。
【図５】図１の化粧料容器の、蓋体を開放した状態の要部拡大縦断面図である。化粧皿を化粧皿収納部から離脱させる際の状態を示している。
【図６】本発明にかかる化粧料容器の第２実施形態を示す、図３に対応する断面図である。
【図７】本発明にかかる化粧料容器の第３実施形態を示す、図３に対応する断面図である。
【符号の説明】
【００４３】
１  化粧料容器
２  化粧皿収納部
３  容器本体
５  蓋体
７  化粧皿
１１  第１係合凹部
１２  第２係合凹部
１３  第１係合突起
１４  第２係合突起
１６  係合片
１７  押圧片
１８  第１スリット部
１９  第２スリット部
２０  凸部
【図１】
0004818649.tif 000002
【図２】
0004818649.tif 000003
【図３】
0004818649.tif 000004
【図４】
0004818649.tif 000005
【図５】
0004818649.tif 000006
【図６】
0004818649.tif 000007
【図７】
0004818649.tif 000008